(57)【要約】【課題】意図しない間接活線用カバーの開放を防止可能な間接活線用カバーの開放防止用キャップを提供する。【解決手段】連結部２を通る軸線２Ｌを中心として開閉可能な一対のカバー体の一方のカバー体３Ａに嵌合孔７ａを有する第１延出部７が設けられ、他方のカバー体３Ｂに嵌合凸部８ａを有する第２延出部８が設けられ、閉状態において、前記嵌合孔７ａに前記嵌合凸部８ａが挿入されることにより前記第１延出部７と前記第２延出部８とが対向して一体の延出部となる間接活線用カバー１の開放防止用キャップ１００であって、前記延出部の外周を覆う枠部１１０と、前記枠部１１０が前記延出部の外周を覆った状態で、前記枠部１１０を前記延出部に係止させる係止部１１８，１１６とを備える。【選択図】図１
2020174421.tif 000002
【特許請求の範囲】
【請求項１】
連結部を通る軸線を中心として開閉可能な一対のカバー体の一方のカバー体に嵌合孔を有する第１延出部が設けられ、他方のカバー体に嵌合凸部を有する第２延出部が設けられ、閉状態において、前記嵌合孔に前記嵌合凸部が挿入されることにより前記第１延出部と前記第２延出部とが対向して一体の延出部となる間接活線用カバーの開放防止用キャップであって、
前記延出部の外周を覆う枠部と、
前記枠部が前記延出部の外周を覆った状態で、前記枠部を前記延出部に係止させる係止部と、
を備える間接活線用カバーの開放防止用キャップ。
【請求項２】
前記間接活線用カバーの前記第１延出部または前記第２延出部の側面に、前記軸線と平行に延びる複数のカバー側段部が設けられ、
前記係止部は、前記枠部の内面に形成された、前記カバー側段部と噛み合うキャップ側段部を備える、
請求項１に記載の間接活線用カバーの開放防止用キャップ。
【請求項３】
前記間接活線用カバーの前記第１延出部または前記第２延出部の側面に凹部が設けられ、
前記係止部は、前記凹部に挿入されると突起を備える、
請求項１または２に記載の間接活線用カバーの開放防止用キャップ。
【請求項４】
前記枠部の外面には、互いに逆方向の外側に延びる把持具挿入部が設けられ、
前記把持具挿入部には、把持具挿入用の貫通孔が設けられている、
請求項１から３のいずれか１項に記載の間接活線用カバーの開放防止用キャップ。
【請求項５】
弾性部材で製造されている、
請求項１から４のいずれか１項に記載の間接活線用カバーの開放防止用キャップ。
【発明の詳細な説明】
【技術分野】
【０００１】
本発明は、コネクタカバーやクランプカバーといった間接活線用カバーの開放防止用キャップに関する。
【背景技術】
【０００２】
高圧配電線と引下線との接続部分はコネクタカバーで覆われている（特許文献１参照）。また、電線を電柱に架設する際のクランプ部分はクランプカバーで覆われている。これらのコネクタカバーやクランプカバーといった間接活線用カバーは、ヒンジ部で連結された一対のカバー体を備え、そのカバー体の内部に電線を収納している。一対のカバー体は、一方のカバー体に設けられた嵌合凸部と、他方のカバー体に設けられた嵌合孔とが嵌合することによって、開放が防止されている。
【先行技術文献】
【特許文献】
【０００３】
【特許文献１】特開２０１６−１４４３２８号公報
【発明の概要】
【発明が解決しようとする課題】
【０００４】
しかし、電線の振動等で嵌合凸部が嵌合孔から外れて間接活線用カバーが開く場合がある。そうすると、間接活線用カバーが開放して脱落する可能性がある。また、間接活線用カバーが脱落すると充電部が露出し、鳥獣が充電部に触れることにより配電線に故障が発生し、急な停電が発生する可能性もある。
現状においては、間接活線用カバーの嵌合凸部が嵌合孔から外れるたびに改修している。改修の際、いわゆるヤットコと呼ばれる工具で嵌合凸部が設けられている部分と嵌合孔が設けられている部分とを挟むが、それを何度も繰り返すとそれらの部分が破損する。そうすると間接活線用カバー全体の取り替えが必要となる。
【０００５】
本発明は、意図しない間接活線用カバーの開放を防止可能な間接活線用カバーの開放防止用キャップを提供することを目的とする。
【課題を解決するための手段】
【０００６】
上記課題を解決するために、本発明の一態様は、連結部を通る軸線を中心として開閉可能な一対のカバー体の一方のカバー体に嵌合孔を有する第１延出部が設けられ、他方のカバー体に嵌合凸部を有する第２延出部が設けられ、閉状態において、前記嵌合孔に前記嵌合凸部が挿入されることにより前記第１延出部と前記第２延出部とが対向して一体の延出部となる間接活線用カバーの開放防止用キャップであって、前記延出部の外周を覆う枠部と、前記枠部が前記延出部の外周を覆った状態で、前記枠部を前記延出部に係止させる係止部と、を備える間接活線用カバーの開放防止用キャップを提供する。
【０００７】
前記間接活線用カバーの前記第１延出部または前記第２延出部の側面に、前記軸線と平行に延びる複数のカバー側段部が設けられ、前記係止部は、前記枠部の内面に形成された、前記カバー側段部と噛み合うキャップ側段部を備えることが好ましい。
【０００８】
前記間接活線用カバーの前記第１延出部または前記第２延出部の側面に凹部が設けられ、前記係止部は、前記凹部に挿入されると突起を備えることが好ましい。
【０００９】
前記枠部の外面には、互いに逆方向の外側に延びる把持具挿入部が設けられ、前記把持具挿入部には、把持具挿入用の貫通孔が設けられていることが好ましい。
【００１０】
開放防止用キャップは、弾性部材で製造されていることが好ましい。
【発明の効果】
【００１１】
本発明によれば、意図しない間接活線用カバーの開放を防止可能な間接活線用カバーの開放防止用キャップを提供することができる。
【図面の簡単な説明】
【００１２】
【図１】実施形態の開放防止用キャップ１００の斜視図である。
【図２】実施形態の開放防止用キャップが装着されるコネクタカバー１を示す図で、コネクタカバー１が開いた状態（開状態）を示す。
【図３】コネクタカバー１を電線Ｄに装着した状態の側面図である。
【図４】第１延出部７の下部の後方から見た斜視図である。
【図５】コネクタカバー１を電線Ｄに取り付ける作業を示す説明図である。
【図６】電線Ｄに取り付けられた閉状態のコネクタカバー１への、開放防止用キャップ１００の取り付け方法を示す図である。
【発明を実施するための形態】
【００１３】
（開放防止用キャップ）
以下、本発明の第１実施形態について図面を参照しながら説明する。図１は、実施形態の開放防止用キャップ１００の斜視図である。
開放防止用キャップ１００は、内部に開口部１１２が設けられた枠部１１０と、枠部１１０の上端の外面における対向する２か所から、互いに逆方向の外側に延びる把持具挿入部１２０と、を備える。
【００１４】
（枠部１１０）
枠部１１０は、弾性部材で製造され、実施形態では有底箱型で、矩形の底部１１１と、底部１１１から開口部１１２が設けられた上方に向かって延びる４つの壁部とを有する。ただし、これに限らず、有底でなく、４つの壁部だけを有する形であってもよい。
４つの壁部のうちの２つは、矩形の底部１１１の互いに対向する２辺から底部１１１に対して垂直上方に延び、互いに同形且つ互いに平行な一対の側壁部１１３ａ，１１３ｂである。
【００１５】
（第１押さえ壁１１４）
４つの壁部のうちの他の１つは、一対の側壁部１１３ａ，１１３ｂの間に延び、底部１１１に対して垂直上方に延びる第１押さえ壁１１４である。
第１押さえ壁１１４の内面の中央部のやや下側には、内方に突出した係止部としての突起１１６が設けられている。突起１１６は、これに限定されないが直角三角柱であり、互いに直角な側面のうちの一面を底面１１６ａとして底部１１１に対向させた状態で、他面が第１押さえ壁１１４に取り付けられている。また、底部１１１と底面１１６ａとの間には、一定の隙間１１７が設けられている。
【００１６】
（第２押さえ壁１１５）
４つの壁部の残りの１つは、一対の側壁部１１３ａ，１１３ｂの間に延び、第１押さえ壁１１４と対向し、底部１１１に対して斜め上方に延びる第２押さえ壁１１５である。
第２押さえ壁１１５は、開口部１１２の上部に近づくにつれ、対向する第１押さえ壁１１４との間隔が広がるように設けられた斜面である。第２押さえ壁１１５の内面には、係止部としてのキャップ側段部１１８が形成されている。キャップ側段部１１８は、角部１１８ｃの稜線が、底部１１１及び第１押さえ壁１１４と平行に延び、底部１１１側に向かって傾いている。すなわち１つのキャップ側段部１１８を形成する２つの面１１８ａ及び面１１８ｂは、両方とも角部１１８ｃに向かうにしたがって、底部１１１側に向かう方向に延びている。
【００１７】
（把持具挿入部１２０）
把持具挿入部１２０は、枠部１１０の外面の上端の対向する２か所である、第１押さえ壁１１４の上端と、第２押さえ壁１１５の上端とから、断面コの字型に外側に延び、把持具挿入部１２０と枠部１１０との間には、矩形の貫通孔１２１が設けられている。
【００１８】
実施形態の一例として、開放防止用キャップ１００の開口部１１２上端における、第１押さえ壁１１４内面と第２押さえ壁１１５内面との間の距離Ｚ１は２ｃｍである。開口部１１２下端における、第１押さえ壁１１４内面と第２押さえ壁１１５内面との間の距離Ｚ２は１．５ｃｍである。また、開口部１１２の第１押さえ壁１１４側の幅ｘは２．０ｃｍである。開口部の深さｙは２．０ｃｍである。
【００１９】
（コネクタカバー）
図２は、実施形態の開放防止用キャップが装着されるコネクタカバー１を示す図で、コネクタカバー１が開いた状態（開状態）を示す。図中に示す左右を、以下、明細書中、左右方向として説明する。
なお、一例として示した上述の開放防止用キャップ１００のサイズは、コネクタカバー１に対応するサイズであり、本実施形態では、コネクタカバー用の開放防止用キャップ１００について説明する。
図３はコネクタカバー１を電線Ｄに装着した状態の側面図である。図中に示す上下前後を、以下、明細書中、上下前後方向として説明する。
【００２０】
コネクタカバー１は、連結部であるヒンジ部２により互いに連結され、ヒンジ部２を通る軸線２Ｌを中心として開閉可能で、閉状態で電線を収容する収納空間５が互いの間に設けられる一対のカバー体（第１カバー体３Ａ，第２カバー体３Ｂ）とを備える。
【００２１】
第１カバー体３Ａと第２カバー体３Ｂの左右の両端には、それぞれ挿通口４を軸線２Ｌ方向に二分割した形状の凹部が形成されており、第１カバー体３Ａと第２カバー体３Ｂとが閉じると、電線Ｄを挿通する挿通口４が形成される。
【００２２】
第２カバー体３Ｂの収納空間５を挟んだヒンジ部２と反対側の縁部の中央部には、軸線２Ｌから離れる方向（外方，図３において下方）に延びる把持部９が形成されている。
【００２３】
第１カバー体３Ａの、収納空間５を挟んだヒンジ部２と反対側の縁部における左右には、軸線２Ｌから離れる方向（外方，図３において下方）に延び、且つ嵌合孔７ａが設けられた第１延出部７が設けられている。
【００２４】
第２カバー体３Ｂの、収納空間５を挟んだヒンジ部２と反対側の縁部における左右のそれぞれには、軸線２Ｌから離れる方向（外方，図３において下方）延び、且つ嵌合凸部８ａが設けられた第２延出部８が設けられている。
【００２５】
第２延出部８における、第１延出部７との対向面８１の反対側の背面８２は、対向面８１との距離が、軸線２Ｌから離れる方向（外方，図２において下方）に行くに従い近くなる斜面となっている。すなわち、第２延出部８は、下方に行くほど薄くなっている。なお、第１延出部７との対向面８１は図３の状態で、鉛直方向に真っすぐに延びている。
【００２６】
また、第２延出部８の背面８２には、稜線が軸線２Ｌと平行に延びる複数のカバー側段部８４が形成されている。カバー側段部８４は、上側に向かって傾いた段部である。すなわち１つのカバー側段部８４を形成する２つの面８４ａと面８４ｂとは、両方とも突出した角部８４ｃに向かうにしたがって、軸線２Ｌ側の上側に向かう。
【００２７】
図４は第１延出部７の下部の後方から見た斜視図である。第１延出部７の下端は、後方に向かって延びる下面７ｃが設けられ、図中点線で示すように嵌合孔７ａに嵌合凸部８ａが挿入された状態で嵌合凸部８ａと下面７ｃとの間には凹部７ｄが設けられる。
【００２８】
（取り付け方法）
図５は、コネクタカバー１を電線Ｄに取り付ける作業を示す説明図である。
コネクタカバー１を電線Ｄに取り付ける作業は、ヤットコと称される間接活線工具（以下、ヤットコ２００と称する）と、細い金属棒を略三角形に曲げてなるフック形状の先端工具を有するカバー押さえ器２０１とを用いて行われる。
【００２９】
まず、作業員は、開状態において、コネクタカバー１の把持部９をヤットコ２００で把持し、ヤットコ２００を操作してコネクタカバー１を電線Ｄに載せる。
なお、作業員は、コネクタカバー１を電線Ｄに載せた後も、コネクタカバー１がずれたり、電線Ｄから落下しないようにヤットコ２００で把持した状態を継続する。
【００３０】
次に、別の作業員が、カバー押さえ器２０１を操作し、フック形状の先端工具をコネクタカバー１の上方に配置し、ヒンジ部２に先端工具を引っ掛けながら下方に引っ張る。これにより、カバー体３（第１カバー体３Ａ，第２カバー体３Ｂ）が、ヒンジ部２（軸線２Ｌ）を中心として回転して閉状態となる。
作業員が、ヤットコ２００を操作して把持部９の端を解除し、次に第１延出部７と第２延出部８とを把持して、第１延出部７と第２延出部８とのそれぞれの対向面７１，８１を当接させると、嵌合孔７ａに嵌合凸部８ａが嵌合される。
ここで、第２延出部８の背面８２が斜面になっており、さらにカバー側段部８４が形成されているのでヤットコが滑りにくく、第２延出部８を把持しやすい。
【００３１】
（開放防止用キャップ１００の装着）
図６は電線Ｄに取り付けられた閉状態のコネクタカバー１への、開放防止用キャップ１００の取り付け方法を示す図である。
作業員は嵌合孔７ａに嵌合凸部８ａが嵌合されて閉状態となったコネクタカバー１からヤットコ２００を取り外す。
次に、ヤットコ２００の先端２０２を所定幅に開き、その先端２０２を開放防止用キャップ１００の２つの把持具挿入部１２０の貫通孔１２１のそれぞれに挿入する。
そして、閉状態のコネクタカバー１における一体となった第１延出部７と第２延出部８との下側から、一体となった第１延出部７と第２延出部８との外周に枠部１１０をはめ込むようにして開放防止用キャップ１００を上に持ち上げる。
【００３２】
開放防止用キャップ１００が、一体となった第１延出部７と第２延出部８とに対して所定の深さまで挿入されると、開放防止用キャップ１００の下向きのキャップ側段部１１８の角部１１８ｃと、第２カバー体３Ｂの上向きのカバー側段部８４の角部８４ｃとが当接し始める。
さらに上に向かって移動させると、開放防止用キャップ１００は弾性材料で製造されているため弾性変形して、下向きのキャップ側段部１１８は第２カバー体３Ｂの上向きのカバー側段部８４を乗り越える。
乗り越えた後、下向きのキャップ側段部１１８の変形は一旦もとに戻り、下向きのキャップ側段部１１８は、上向きのカバー側段部８４と噛み合う。
さらに開放防止用キャップ１００を上に移動させる、キャップ側段部１１８は次のカバー側段部８４を乗り越えるように弾性変形し、乗り越えた後、また、もとに戻って下向きのキャップ側段部１１８は、一つ上の上向きのカバー側段部８４と噛み合う。これを繰り返しつつ上向きのカバー側段部８４の斜面に沿って上側に移動することができる。
【００３３】
一方、第１押さえ壁１１４に設けられた突起１１６は、第１延出部７の下面７ｃを通過するとき、弾性変形し、突起１１６の下端の一番飛び出ているところが下面７ｃを乗り越えると弾性変形がもとに戻る。そして、突起１１６は凹部７ｄに収納され、隙間１１７に下面７ｃが入り込み突起１１６の下端は、下面７ｃの上に乗り上げる。
【００３４】
開放防止用キャップ１００の底部１１１が一体となった第１延出部７と第２延出部８との下面に到達したところで、ヤットコ２００を把持具挿入部１２０の貫通孔１２１から取り外す。
【００３５】
以上、本実施形態によると、以下の効果を有する。
ヤットコ２００を把持具挿入部１２０の貫通孔１２１から取り外しても、開放防止用キャップ１００の下向きのキャップ側段部１１８は、上向きのカバー側段部８４と噛み合っているため、開放防止用キャップ１００が下側に落下することはない。
そして突起１１６の下端は、下面７ｃの上に乗り上げている。このため、これによっても開放防止用キャップ１００は下側に落下することはない。
【００３６】
したがって、開放防止用キャップ１００は一体となった第１延出部７と第２延出部８の外周を覆った状態を維持する。
ゆえに、例えば電線の振動等によって嵌合孔７ａからの嵌合凸部８ａが外れる可能性が低減され、第１延出部７と第２延出部８との密着状態が保持され、第１カバー体３Ａと第２カバー体３Ｂとが開くことがない。
したがって、嵌合孔７ａからの嵌合凸部８ａが外れてコネクタカバー１が脱落する可能性が低減される。電線の接合箇所が露出する可能性が低減され、鳥獣害による配電線の故障を防止できる。また、嵌合孔７ａからの嵌合凸部８ａが外れるたびにかかっていた改修費用が不要となり、コスト削減が可能となる。
【００３７】
以上、実施形態の開放防止用キャップは、コネクタカバー１の開放防止用キャップ１００について説明したが、これに限定されず、間接活線用カバーとして例えばクランプカバー用の開放防止用キャップであってもよい。この場合、一例として、開放防止用キャップの開口部１１２上端における、第１押さえ壁１１４と第２押さえ壁１１５との間の距離Ｚ１は２．５ｃｍである。開口部１１２下端における、第１押さえ壁１１４と第２押さえ壁１１５との間の距離Ｚ２は２．０ｃｍである。また、開口部１１２の第１押さえ壁１１４側の幅ｘは３．０ｃｍである。開口部の深さｙは２．０ｃｍである。
【符号の説明】
【００３８】
Ｄ    電線
１    コネクタカバー
２    連結部
２Ｌ    軸線
３Ａ    第１カバー体
３Ｂ    第２カバー体
４    挿通口
５    収納空間
７    第１延出部
７ａ    嵌合孔
７ｃ    下面
７ｄ    凹部
８    第２延出部
８ａ    嵌合凸部
８２    背面
８４    カバー側段部
８４ｃ    角部
１００    開放防止用キャップ
１１０    枠部
１１１    底部
１１２    開口部
１１４    第１押さえ壁
１１５    第２押さえ壁
１１６    突起
１１６ａ    底面
１１７    隙間
１１８    キャップ側段部
１１８ｃ    角部
１２０    把持具挿入部
１２１    貫通孔
２００    ヤットコ
２０２    先端
【図１】
2020174421.tif 000003
【図２】
2020174421.tif 000004
【図３】
2020174421.tif 000005
【図４】
2020174421.tif 000006
【図５】
2020174421.tif 000007
【図６】
2020174421.tif 000008